(57)【要約】【課題】原稿のうちの動作モードに適した領域を読み取ることができる原稿読取装置を提供する。【解決手段】原稿読取装置は、原稿の読み取りに係る動作モードとしてファクシミリモードとコピーモードとスキャンモードとを有している。ファクシミリモードでは、「実サイズ」に係る領域と「指定サイズ」に係る領域とのうちの小さい方が読み取られる（ステップＳ２５）。これにより、ファクシミリ送信に係る画像データのデータ量を低減できる。また、コピーモードやスキャンモードでは、「指定サイズ」に係る領域が読み取られる（ステップＳ２４）。これにより、取得される画像データのサイズをユーザ所望のサイズに統一できる。【選択図】図６
2006174372.tif 000002
【特許請求の範囲】
【請求項１】
画像の取得目的が互いに異なる複数の動作モードを有する原稿読取装置であって、
ユーザ所望の原稿のサイズを指定サイズとしてユーザから受け付ける受付手段と、
給紙装置によって給紙された原稿を読み取り、画像を取得する読取手段と、
を備え、
前記読取手段は、読取対象となる原稿の実際のサイズとしての実サイズに係る領域と、前記指定サイズに係る領域とのうちいずれを読み取るかを前記動作モードに応じて変更することを特徴とする原稿読取装置。
【請求項２】
請求項１に記載の原稿読取装置において、
ファクシミリ送信に利用する画像を取得する動作モードにおいて、
前記読取手段は、前記実サイズに係る領域と前記指定サイズに係る領域とのうちの小さい方を読み取ることを特徴とする原稿読取装置。
【請求項３】
請求項１または２に記載の原稿読取装置において、
コピーに利用する画像を取得する動作モードにおいて、
前記読取手段は、前記指定サイズに係る領域を読み取ることを特徴とする原稿読取装置。
【請求項４】
請求項１ないし３のいずれかに記載の原稿読取装置において、
前記原稿読取装置にＬＡＮ接続された他の端末からの利用に供する前記画像を取得する動作モードにおいて、
前記読取手段は、前記指定サイズに係る領域を読み取ることを特徴とする原稿読取装置。
【請求項５】
原稿を読み取る原稿読取方法であって、
ユーザ所望の原稿のサイズを指定サイズとしてユーザから受け付ける受付工程と、
給紙装置によって給紙された原稿を読み取り、画像を取得する読取工程と、
を備え、
前記読取工程において、読取対象となる原稿の実際のサイズとしての実サイズに係る領域と、前記指定サイズに係る領域とのうちいずれを読み取るかは、当該画像の取得目的に応じて変更されることを特徴とする原稿読取方法。
【発明の詳細な説明】
【技術分野】
【０００１】
本発明は、原稿の読み取りにより、目的が異なる画像を取得する技術に関する。
【背景技術】
【０００２】
従来より、コピーモードやファクシミリモードなど、画像データの取得目的が互いに異なる複数の動作モードを有する複合機（ＭＦＰ装置）においては、複数枚の原稿を時間的に連続して給紙可能なＡＤＦ（自動原稿給紙装置）が採用されている。
【０００３】
ＡＤＦを用いた原稿の読み取り処理では、まず、セットされた複数枚の原稿のうち最上にある一の原稿が、ＡＤＦによって取り込まれ、所定の搬送経路に沿って搬送される。そして、原稿の搬送経路における所定の読取位置に固定配置されるイメージセンサにより、搬送中の一の原稿が走査されて読み取られ、当該一の原稿の内容を示す画像データが取得される。セットされた複数枚の原稿は、一の原稿ごとにＡＤＦによって読取位置に対して連続的に給紙される。このように連続供給される全ての原稿に関して同様の読み取りがなされることで、全ての原稿に係る画像データが取得されることになる（例えば、特許文献１参照。）。
【０００４】
【特許文献１】特開平２００２−２９０６７８号公報
【発明の開示】
【発明が解決しようとする課題】
【０００５】
ところで、上記のような複合機においては、原稿の領域のうち読み取りを行うべき領域のサイズを指定サイズとしてユーザが設定可能なものも知られている（例えば、特許文献１参照。）。
【０００６】
しかしながら、このように指定サイズが設定された場合であっても、画像データの取得目的によっては、指定サイズに係る領域の読み取りを行うよりも、実際の原稿のサイズに係る領域の読み取りを行って画像データを取得する方が好ましい場面もあり得る。例えば、ファクシミリモードでは、送信する画像データのデータ量が少ないことが好ましい。
【０００７】
本発明は、上記課題に鑑みてなされたものであり、原稿のうち、画像の取得目的に適した領域を読み取ることができる技術を提供することを目的とする。
【課題を解決するための手段】
【０００８】
上記課題を解決するため、請求項１の発明は、画像の取得目的が互いに異なる複数の動作モードを有する原稿読取装置であって、ユーザ所望の原稿のサイズを指定サイズとしてユーザから受け付ける受付手段と、給紙装置によって給紙された原稿を読み取り、画像を取得する読取手段と、を備え、前記読取手段は、読取対象となる原稿の実際のサイズとしての実サイズに係る領域と、前記指定サイズに係る領域とのうちいずれを読み取るかを前記動作モードに応じて変更する。
【０００９】
また、請求項２の発明は、請求項１に記載の原稿読取装置において、ファクシミリ送信に利用する画像を取得する動作モードにおいて、前記読取手段は、前記実サイズに係る領域と前記指定サイズに係る領域とのうちの小さい方を読み取る。
【００１０】
また、請求項３の発明は、請求項１または２に記載の原稿読取装置において、コピーに利用する画像を取得する動作モードにおいて、前記読取手段は、前記指定サイズに係る領域を読み取る。
【００１１】
また、請求項４の発明は、請求項１ないし３のいずれかに記載の原稿読取装置において、前記原稿読取装置にＬＡＮ接続された他の端末からの利用に供する前記画像を取得する動作モードにおいて、前記読取手段は、前記指定サイズに係る領域を読み取る。
【００１２】
また、請求項５の発明は、原稿を読み取る原稿読取方法であって、ユーザ所望の原稿のサイズを指定サイズとしてユーザから受け付ける受付工程と、給紙装置によって給紙された原稿を読み取り、画像を取得する読取工程と、を備え、前記読取工程において、読取対象となる原稿の実際のサイズとしての実サイズに係る領域と、前記指定サイズに係る領域とのうちいずれを読み取るかは、当該画像の取得目的に応じて変更される。
【発明の効果】
【００１３】
請求項１ないし５の発明によれば、画像の取得目的に適した領域を読み取ることができる。
【００１４】
また、特に請求項２の発明によれば、ファクシミリ送信を行う画像のデータ量を低減できる。
【００１５】
また、特に請求項３の発明によれば、コピーに利用する画像を所望のサイズに統一できる。
【００１６】
また、特に請求項４の発明によれば、他の端末からの利用に供する画像を所望のサイズに統一できる。
【発明を実施するための最良の形態】
【００１７】
以下では、具体例として、本実施の形態に係る原稿読取装置が画像形成装置に適用される場合について説明する。
【００１８】
＜１．構成概要＞
図１及び図２は、画像形成装置１の外観構成を示す斜視図である。この画像形成装置１は、ファクシミリ機能、コピー機能、スキャン機能、プリント機能などの複数の機能を有する複合機（ＭＦＰ装置）として構成されている。
【００１９】
ここで、ファクシミリ機能は、公衆電話交換網（ＰＳＴＮ）を介して相手先装置との間で画像データを送受信する機能である。ファクシミリ送信時には、送信対象となる紙媒体の原稿が読み取られ、これにより、送信すべき画像データが取得される。
【００２０】
コピー機能は、原稿を読み取って原稿の内容を示す画像データを取得し、その画像データを記録紙に印刷することで原稿の内容をコピー（複写）する機能である。
【００２１】
また、スキャン機能は原稿を読み取って画像データを取得し、画像形成装置１内に格納する機能である。スキャン機能により取得された原稿の内容を示す画像データは、ＬＡＮ接続された他の端末などからＬＡＮを介して利用可能とされる。さらに、プリント機能は、画像データを記録紙に印刷する機能である。
【００２２】
これらの機能のうち、ファクシミリ機能、コピー機能、スキャン機能においては、原稿の読み取りがなされる。このため、画像形成装置１は、原稿の読み取りに係る動作モードとして、これらの３つの機能それぞれに対応する３つの動作モード、すなわち、ファクシミリモード、コピーモード、スキャンモードを有している。これら３つの動作モードでは、画像データの取得目的が互いに異なることになる。いずれの動作モードを能動化（有効化）するかの選択は、ユーザから受け付けられる。
【００２３】
図１及び図２に示すように、画像形成装置１は、その本体部ＨＳと、本体部ＨＳの上部に設けられるブックカバー１７とに大別される。ブックカバー１７は、ヒンジ１７１を介して本体部ＨＳに軸支され、これにより本体部ＨＳに対して閉開可能とされている。図１はブックカバー１７が閉じた状態、図２はブックカバー１７が開いた状態をそれぞれ示している。
【００２４】
なお、以下の説明においては、方向や向きを示す際に、適宜、図中に示す３次元のＸＹＺ直交座標を用いる。このＸＹＺ軸は本体部ＨＳに対して相対的に固定される。ここで、Ｙ軸方向は水平奥行方向（−Ｙ側が前面側）、Ｘ軸方向は水平左右方向（＋Ｘ側が右側）、Ｚ軸方向は鉛直方向（＋Ｚ側が上側）である。
【００２５】
本体部ＨＳには、上部に原稿を読み取るためのスキャナ１１（図２参照。）、下部に記録紙を供給する給紙部１５、並びに、前面側にユーザインターフェイスとしての表示部１３及び操作部１４がそれぞれ設けられる。さらに、本体部ＨＳの内部には、記録紙に印刷を行うプリンタ１２が設けられ、本体部ＨＳの−Ｘ側側面には印刷済の記録紙を処理するフィニッシャ１６が装着され、フィニッシャ１６の下方にはＬＡＮインターフェイス１８が設けられている。
【００２６】
スキャナ１１は、ファクシミリ機能、コピー機能及びスキャン機能それぞれにおける原稿の読み取り機能を担うものである。スキャナ１１には、複数の画素（フォトダイオード）がＹ軸方向に沿って一次元的に配列されたＣＣＤなどのイメージセンサ（以下、「ラインセンサ」という。）が設けられている。スキャナ１１は、このラインセンサにより原稿をＹ軸方向に沿ったラインごとに読み取り、当該原稿の内容を示す画像データを取得する。以下では、原稿において、スキャナ１１のラインセンサが１度に読み取る方向（Ｙ軸方向）を「主走査方向」ともいい、原稿において主走査方向に直交する方向を「副走査方向」ともいう。
【００２７】
給紙部１５は、それぞれが記録紙を収容可能な４個の給紙カセット１５１〜１５４を備える。各給紙カセット１５１〜１５４には、所定の規格サイズ（例えば、Ａ４，Ｂ５等）の記録紙が収容される。
【００２８】
操作部１４は、各種コマンドやデータの入力などのユーザ操作を受け付ける複数のスイッチで構成される。上述した３つの動作モードのうちのいずれを能動化するかの選択は、操作部１４に含まれる所定のスイッチを押下することにより行われる。また、表示部１３は、ユーザに与えるべき各種情報を表示する液晶ディスプレイ等の表示装置で構成される。この表示部１３は、タッチパネル機能を有しており、ユーザ操作を受け付ける機能の一部を担うようにもなっている。
【００２９】
プリンタ１２は、例えば、ＬＥＤプリンタヘッドを有する電子写真方式のプリンタであり、印刷すべき画像データに基づいて給紙部１５から供給される記録紙に印刷を行う。
【００３０】
フィニッシャ１６は、プリンタ１２による印刷がなされた記録紙に、ステープル加工やパンチ加工等のフィニッシング処理を施すものである。フィニッシング処理後の記録紙は、図中に示す矢印ＡＰ１の方向へ排出され、フィニッシャ１６に付随する排紙トレイ１６１に蓄積される。
【００３１】
ＬＡＮインターフェイス１８は、画像形成装置１がＬＡＮ（Local Area Network）に接続するためのインターフェイスであり、イーサネット（登録商標）通信に必要なプロトコル変換などの処理を行う。これにより、画像形成装置１はＬＡＮに接続され、同様にＬＡＮに接続された他のクライアント端末９（図３参照。）との間でＬＡＮを介してのデータの送受信を行うことが可能となっている。
【００３２】
ブックカバー１７は、環境光がスキャナ１１へ入射することを防止するためのカバーである。ブックカバー１７には、自動原稿給紙装置であるＡＤＦ（Automatic Document Feeder）１７２が設けられている。ＡＤＦ１７２は、複数枚の原稿を連続的にスキャナ１１に読み取らせるために、複数枚の原稿を時間的に連続して順次にスキャナ１１の読取面へ供給する。なお、これらスキャナ１１及びＡＤＦ１７２については後に詳述する。
【００３３】
＜２．内部構成＞
次に、画像形成装置１の内部構成について説明する。図３は、画像形成装置１の内部構成を模式的に示すブロック図である。
【００３４】
図に示すように、画像形成装置１は、制御部としてのマイクロコンピュータを内蔵している。より具体的には、画像形成装置１は、ＭＰＵ（マイクロプロセッサ；MicroProcessor Unit）２０、ＲＯＭ２１、及び、ＲＡＭ２２を備えている。ＲＯＭ２１には予め制御プログラムが格納されており、この制御用プログラムに従ってＭＰＵ２０が演算処理を行うことにより、画像形成装置１の各部を制御するための各種機能が実現される。ＲＡＭ２２は、ＭＰＵ２０による演算処理における作業領域として利用される。
【００３５】
ＭＰＵ２０は、バスライン２００を介して、上述したスキャナ１１、プリンタ１２、表示部１３、操作部１４、ＡＤＦ１７２、フィニッシャ１６及びＬＡＮインターフェイス１８等の画像形成装置１の各部に接続されている。これにより、これら各部の動作がＭＰＵ２０によって制御されることになる。また、操作部１４に受け付けられたユーザ操作は信号としてＭＰＵ２０に入力され、これにより画像形成装置１はユーザ操作に応じた動作を行うことになる。
【００３６】
また、画像形成装置１は、画像メモリ２３と、ＮＣＵ（ネットワーク制御回路）２４と、モデム２５とをさらに備えている。これら各部も、バスライン２００に接続され、ＭＰＵ２０によって制御される。
【００３７】
画像メモリ２３は、スキャナ１１による原稿の読み取りによって取得された画像データなどを記憶するための記憶装置であり、読出及び書込のいずれも可能なＤＲＡＭなどメモリで構成される。ファクシミリモードにおいて画像メモリ２３に記憶された画像データはファクシミリ送信に利用され、コピーモードにおいて画像メモリ２３に記憶された画像データは記録紙への印刷（コピー）に利用されることになる。また、スキャンモードにおいて画像メモリ２３に記憶された画像データは、ＬＡＮインターフェイス１８を介してＬＡＮ接続された外部のクライアント端末９から取り扱い可能とされる。
【００３８】
ＮＣＵ２４及びモデム２５は、ファクシミリ機能を実現する処理部である。すなわち、ＮＣＵ２４は、アナログの公衆電話交換網の直流ループの閉結及び開放などの動作を行うハードウェア回路であり、必要に応じてモデム２５を公衆電話交換網に接続する。また、モデム２５は、ファクシミリ通信用の画像データを変調及び復調する。
【００３９】
＜３．スキャナ＞
次に、スキャナ１１についてさらに詳細に説明する。図４は、ＡＤＦ１７２を含むブックカバー１７、及び、スキャナ１１の概略構成を示す前面側（−Ｙ側）から見た断面図である。
【００４０】
スキャナ１１は、所定位置に載置された原稿をそのまま読み取るＦＢＳ(Flat Bed Scanner)方式、及び、ＡＤＦ１７２によって搬送される原稿を読み取るＡＤＦ方式のいずれかの方式によって原稿の読み取りを行う。本実施の形態においては、前者を「ＦＢＳ読み取り」と称し、後者を「ＡＤＦ読み取り」と称する。
【００４１】
図２に示すように、本体部ＨＳの上面には、平坦な透明ガラス板で構成される２つのコンタクトガラス１１１ａ，１１１ｂが配置されている。比較的大きな第１コンタクトガラス１１１ａは、ＦＢＳ読み取りの際における原稿の読取面となる一方、比較的小さな第２コンタクトガラス１１１ｂは、ＡＤＦ読み取りの際における原稿の読取面となる。
【００４２】
これら２つのコンタクトガラス１１１ａ，１１１ｂの下方の本体部ＨＳの内部には、読取機構１１３が設けられている。読取機構１１３は、原稿を照明する照射光源と前述したラインセンサとが一体的に設けられたものであり、２つのコンタクトガラス１１１ａ，１１１ｂの下方空間を、モータやベルト等の駆動機構（図示省略）によってＸ軸方向に移動可能とされている。照射光源が照明光を原稿に照射し、該原稿からの反射光をラインセンサが受光することで、読取機構１１３による原稿の読み取りがなされることになる。
【００４３】
ＦＢＳ読み取りの場合は、原稿がその読取対象面を下方に向けた状態で第１コンタクトガラス１１１ａに載置される。そして、環境光を遮断するためにブックカバー１７が図１の如く閉じられる。この状態で、操作部１４を介して所定のユーザ操作がなされると、第１コンタクトガラス１１１ａの−Ｘ側端部の下方の初期位置ｘ２から図中右側（＋Ｘ側）へと読取機構１１３が所定速度で移動される。この移動の際に、照射光源からは原稿に向けて照明光が照射され、同時に、原稿からの反射光がラインセンサにおいて１ラインずつ受光される。これにより、原稿の読み取りが実現される。
【００４４】
一方、ＡＤＦ読み取りの場合は、読取機構１１３は第２コンタクトガラス１１１ｂの下方の所定の読取位置ｘ１に固定的に配置される。この第２コンタクトガラス１１１ｂの上部は、ＡＤＦ１７２による原稿Ｄｃの搬送経路１７７となっており、読取機構１１３は、ＡＤＦ１７２の搬送により第２コンタクトガラス１１１ｂの直上を通過する原稿Ｄｃを走査してその内容を読み取ることになる。
【００４５】
また、この読取位置ｘ１の近傍の検出位置ｘ０には、読取位置ｘ１に原稿Ｄｃの部分が存在するか否かを検出するための原稿センサ１１２が設けられている。この原稿センサ１１２は、光電センサで構成されており、原稿Ｄｃが存在しているか否かでその受光量が異なることを利用して、その直上の原稿Ｄｃの有無を検出する。本実施の形態では、検出位置ｘ０と読取位置ｘ１とが近接しているため、検出位置ｘ０における原稿Ｄｃの有無が、読取位置ｘ１における原稿Ｄｃの有無とみなされる。なお、検出位置ｘ０における原稿Ｄｃの有無と、検出位置ｘ０と読取位置ｘ１との間の距離と、原稿Ｄｃの搬送速度とに基づいて、読取位置ｘ１における原稿Ｄｃの有無を厳密に検出してもよい。
【００４６】
＜４．ＡＤＦ＞
次に、ＡＤＦ１７２についてさらに詳細に説明する。図４に示すように、ＡＤＦ１７２には、その上部に、読取前の原稿Ｄｃがセットされる原稿給紙トレイ１７３が設けられ、その下部に、読取済の原稿Ｄｃが排出される原稿排出トレイ１７９が設けられている。原稿Ｄｃは、原稿給紙トレイ１７３から取込口１７７ａを介して装置内部に取り込まれ、搬送経路１７７に沿って搬送された後、排出口１７７ｂを介して原稿排出トレイ１７９に排出されることになる。
【００４７】
図に示すように、この搬送経路１７７の一部には、ＡＤＦ読み取りの際における原稿Ｄｃの読取面となる第２コンタクトガラス１１１ｂの直上位置、すなわち、読取位置ｘ１の直上位置が含まれている。
【００４８】
また、この第２コンタクトガラス１１１ｂの直上には、搬送経路１７７を挟んで、押圧部材１７８が設けられている。押圧部材１７８は、搬送される原稿Ｄｃを第２コンタクトガラス１１１ｂとの間で挟み込み、搬送を阻害することなく原稿Ｄｃ（正確には、原稿Ｄｃのうちの読取位置ｘ１の直上を通過する部分）を第２コンタクトガラス１１１ｂに圧接する役割を担う。そのため、押圧部材１７８の下端部分は、搬送される原稿Ｄｃとの間で低摩擦状態を維持しつつ圧接できる程度の弾性を有するように構成される。
【００４９】
また、図１に示すように、原稿給紙トレイ１７３には、２つの原稿ガイド１７４ａ，１７４ｂが設けられている。この原稿給紙トレイ１７３の−Ｘ側には、原稿Ｄｃが差し込まれる差込部１７５が設けられている。この差込部１７５の−Ｘ側の端部に、取込口１７７ａが形成されることになる（図４参照。）。読取前の原稿Ｄｃは、これら２つの原稿ガイド１７４ａ，１７４ｂと、差込部１７５の−Ｘ側の端部とにより規定される空間にセットされる。
【００５０】
２つの原稿ガイド１７４ａ，１７４ｂのうち、背面側（＋Ｙ側）の第１原稿ガイド１７４ａは原稿給紙トレイ１７３に固定配置されるのに対し、正面側（−Ｙ側）の第２原稿ガイド１７４ｂはＹ軸方向に沿って所定の範囲ＡＲ２でスライド可能とされている。この第２原稿ガイド１７４ｂは、読取対象となる原稿Ｄｃの主走査方向の長さに応じてＹ軸方向の位置がユーザにより調整されることになる。
【００５１】
また、図４に示すように、取込口１７７ａには、取込ローラＰ１とセパレータＰ２とが対向して設けられている。これらセパレータＰ２および取込ローラＰ１は、原稿給紙トレイ１７３に積載された複数枚の原稿から最上にある１枚だけを搬送経路１７７へと取り込む役割を担う。すなわち、取込ローラＰ１を回転させることにより、最上の１枚の原稿Ｄｃが、取込ローラＰ１とセパレータＰ２との間で挟持されつつ搬送経路１７７へと取り込まれる。その際には、上から２枚目以下の原稿Ｄｃは、セパレータＰ２によって取り込みが阻害されることになる。
【００５２】
また、原稿Ｄｃの搬送経路１７７においては、その上流側から下流側にかけて、第１〜第３原稿搬送部Ｃ１，Ｃ２，Ｃ３が、この順に設けられている。これらの原稿搬送部Ｃ１〜Ｃ３はいずれも、原稿Ｄｃの搬送経路１７７を挟んで対向配置される１対のローラで構成される。これらのローラはそれぞれモータ等の駆動機構（図示省略）により図中の矢印の向きに回転される。原稿Ｄｃは、取込ローラＰ１とセパレータＰ２との間の挟持とともに、これらの原稿搬送部Ｃ１〜Ｃ３それぞれのローラに挟持されることによって、搬送経路１７７に沿って搬送されることになる。
【００５３】
＜５．原稿の実サイズの検出＞
本実施の形態の画像形成装置１では、ＡＤＦ読み取りの対象となる原稿の実際のサイズ（以下、「実サイズ」という。）の検出が可能となっている。以下、この検出手法について簡単に説明する。
【００５４】
まず、実サイズの主走査方向の長さ（以下、「主走査長」という。）は、原稿給紙トレイ１７３にセットされた原稿Ｄｃの主走査長に応じて、第２原稿ガイド１７４ｂのＹ軸方向の位置が調整されることを利用して検出される。これは、例えば、第２原稿ガイド１７４ｂの位置を検出する位置センサを設けるなどにより実現される。
【００５５】
なお、実サイズの主走査長の検出方法はこれに限定されるものではなく、例えば、第２原稿給紙トレイ１７３における原稿Ｄｃが載置される面に、規格サイズの端部位置に対応する位置ごとに複数の光電センサを設け、それら光電センサの検出結果から主走査長を検出するなどの態様であってもよい。
【００５６】
一方、実サイズの副走査方向の長さ（以下、「副走査長」という。）は、ＡＤＦ読み取りの際に、実際にその読み取りにより取得されるラインデータ数に基づいて検出される。これは、ＡＤＦ読み取りの際には、ＡＤＦ１７２により一定の定められた速度（以下、「読取速度」という。）で原稿Ｄｃが搬送されるためである。
【００５７】
なお、実サイズの副走査長の検出手法はこれに限定されるものではなく、例えば、原稿センサ１１２が原稿Ｄｃの先端を検出してから当該原稿Ｄｃの後端を検出するまでの時間と、読取速度とに基づいて副走査長を検出するなどの態様であってもよい。
【００５８】
＜６．ＡＤＦ読み取り＞
次に、ＡＤＦ読み取りに係る画像形成装置１の動作について説明する。図５は、この動作の流れを示す図である。なお、この動作の開始時点においては、原稿給紙トレイ１７３には読取対象となる面を上向きにして複数枚の原稿がセットされているものとする。またこの際、前述した手法によって「実サイズ」の主走査長が検出され、ＭＰＵ２０に認識されているものとする。
【００５９】
まず、操作部１４を介したユーザ操作によって、ファクシミリモード、コピーモード及びスキャンモードのうち、当該原稿の読み取りにおいて能動化すべき動作モードが入力され、ＭＰＵ２０に受け付けられる（ステップＳ１１）。すなわち、原稿の読み取りで得られる画像データの取得目的が設定されることになる。
【００６０】
さらに、操作部１４を介したユーザ操作によってユーザ所望の原稿のサイズが入力され、「指定サイズ」としてＭＰＵ２０に受け付けられる（ステップＳ１２）。具体的には、表示部１３に、”Ａ４””Ｂ４”などの規格サイズの一覧を示すリスト表示がなされる。ユーザは、このような表示を参照しつつ、操作部１４を介してそのリスト表示の項目の一つを選択する。このようにしてユーザから指定された原稿のサイズが、指定サイズとして設定される。なお、この指定サイズの設定操作は強制的なものではなく、ユーザにより任意になされるものである。このため、指定サイズが設定されない場面（ステップＳ１２がなされない場面）もありうる。
【００６１】
次に、操作部１４を介したユーザ操作によって読み取りの開始指示がなされると（ステップＳ１３にてＹｅｓ）、読み取り動作が開始される。
【００６２】
まず、セットされた複数枚の原稿のうちの最上にある一の原稿が読み取りの対象とされて取込口１７７ａから取り込まれる（ステップＳ１４）。取り込まれた一の原稿は、その先端が読取位置ｘ１へ到達したかが原稿センサ１１２により監視される（ステップＳ１５）。そして、当該一の原稿の先端の読取位置ｘ１への到達が検知されると、当該一の原稿に関する読取処理がなされる（ステップＳ１６）。
【００６３】
当該一の原稿の読取処理が完了すると、その読取済の一の原稿が排出口１７７ｂを介して原稿排出トレイ１７９に排出されるとともに、その時点で最上部となる次の一の原稿が新たな読み取りの対象とされ、上記と同様の処理（ステップＳ１４〜Ｓ１６）が繰り返される。
【００６４】
以降同様にして、セットされた全ての原稿がそれぞれ読み取りの対象とされていき、全ての原稿の読取処理が完了すると（ステップＳ１７にてＹｅｓ）、画像形成装置１のＡＤＦ読み取りに係る動作が終了することになる。
【００６５】
前述したように、画像形成装置１では、「実サイズ」の検出が可能であり、また一方で、ステップＳ１２にて「指定サイズ」の設定も可能である。このため、「実サイズ」と「指定サイズ」とが異なる場合もあり、この場合においては読取処理（ステップＳ１６）において、「実サイズ」に係る領域と「指定サイズ」に係る領域とのいずれを読み取るかが問題となる。本実施の形態の画像形成装置１の読取処理では、「実サイズ」に係る領域と「指定サイズ」に係る領域とのうちいずれを読み取るかが、ユーザによって選択された動作モードに応じて変更されるようになっている。図６は、この読取処理の詳細な流れを示す図である。以下、場合に分けて説明する。
【００６６】
＜６−１．指定サイズの設定がないとき＞
そもそも「指定サイズ」が設定されていない場合は（ステップＳ２１にてＮｏ）、「実サイズ」と「指定サイズ」との相違を考慮する必要はない。すなわち、この場合は、原稿の「実サイズ」に係る領域の読み取りがなされる（ステップＳ２３）。
【００６７】
前述のように、原稿の読み取りは、原稿のラインごとの読み取り、すなわち、主走査方向に沿ったラインデータの取得を繰り返すことによってなされる。このラインデータの取得に際しては、ラインセンサの複数の画素のうち「実サイズ」の主走査長の領域に係る画素のデータのみが利用され、その他の画素のデータは廃棄される。これにより、「実サイズ」の主走査長に相当する長さに調整されたラインデータが取得されることになる。
【００６８】
また前述のように、本実施の形態の画像形成装置１では、取得されるラインデータ数に基づいて原稿の「実サイズ」の副走査長が検出される。したがって、実際に原稿の後端まで原稿を読み取るまで、原稿の「実サイズ」の副走査長はわからない。
【００６９】
このため、副走査長に関しては、原稿の後端の読取位置ｘ１への到達が原稿センサ１１２により検知されるまで、原稿の読み取りが継続されることによって調整される。これにより、「実サイズ」の副走査長に相当する数のラインデータが取得されることになる。このような処理により「実サイズ」に係る領域の読み取りが完了すると、読取処理が終了することになる。
【００７０】
＜６−２．コピーモード・スキャンモード＞
次に、「指定サイズ」が設定され（ステップＳ２１にてＹｅｓ）、かつ、動作モードがコピーモード若しくはスキャンモードの場合（ステップＳ２２にてＮｏ）について説明する。この場合は、原稿の「実サイズ」とは無関係に、「指定サイズ」に係る領域の読み取りがなされる（ステップＳ２４）。
【００７１】
ラインデータの取得に際しては、ラインセンサの複数の画素のうち「指定サイズ」の主走査長の領域に係る画素のデータのみが利用され、その画の画素のデータは廃棄される。このとき、「実サイズ」の主走査長は考慮されない。これにより、「指定サイズ」の主走査長に相当する長さに調整されたラインデータが取得されることになる。
【００７２】
一方、副走査長に関しては、取得済のラインデータ数が「指定サイズ」の副走査長に相当する数に達するまで、原稿の読み取りが継続されることによって調整される。この際、原稿の後端の読取位置ｘ１への到達は考慮されない。これにより、「指定サイズ」の副走査長に相当する数のラインデータが取得されることになる。このような処理により「指定サイズ」に係る領域の読み取りが完了すると、読取処理が終了することになる。
【００７３】
＜６−３．ファクシミリモード＞
次に、「指定サイズ」が設定され（ステップＳ２１にてＹｅｓ）、かつ、動作モードがファクシミリモードの場合（ステップＳ２２にてＹｅｓ）について説明する。この場合は、原稿のうちの「実サイズ」に係る領域と「指定サイズ」に係る領域とのうちの小さい方の読み取りがなされる（ステップＳ２５）。
【００７４】
ラインデータの取得に際しては、ラインセンサの複数の画素のうち「実サイズ」の主走査長と「指定サイズ」の主走査長とのうちの短い方に係る画素のデータのみが利用され、その他の画素のデータは廃棄される。これにより、「実サイズ」の主走査長と「指定サイズ」の主走査長とのうちの短い方に相当する長さに調整されたラインデータが取得されることになる。
【００７５】
また、副走査長に関しては、「原稿の後端の読取位置ｘ１への到達が検知される」か、「取得済のラインデータ数が「指定サイズ」の副走査長に相当する数に達する」かのいずれかの条件が満足されるまで継続されることによって調整される。
【００７６】
「原稿の後端の読取位置ｘ１への到達が検知される」ことは、「実サイズ」の副走査長に相当する数のラインデータが取得されたことに相当する。一方、「取得済のラインデータ数が「指定サイズ」の副走査長に相当する数に達する」ことは、「指定サイズ」の副走査長に相当する数のラインデータが取得されたことに相当する。したがって、これらのいずれかの条件が満足されたということは、「実サイズ」の副走査長と「指定サイズ」の副走査長とのうちの短い方に相当する数のラインデータが取得されたことになる。
【００７７】
このような処理により、「実サイズ」に係る領域と「指定サイズ」に係る領域とのうちの小さい方の読み取りが完了すると、読取処理が終了することになる。
【００７８】
＜７．まとめ＞
以上説明したように、本発明の実施の形態の画像形成装置１の読取処理では、「実サイズ」に係る領域と「指定サイズ」に係る領域とのうちいずれを読み取るかが、ユーザによって選択された動作モードに応じて変更される。このため、動作モードに適した領域を読み取ることができることになる。
【００７９】
より具体的には、ファクシミリモードでは、「実サイズ」に係る領域と「指定サイズ」に係る領域とのうちの小さい方が読み取られる。このため、取得される画像データのデータ量を小さくすることができる。ファクシミリ送信では、送信する画像データのデータ量は小さいほど好ましい。上記の処理を行う画像形成装置１によれば、ファクシミリ送信を行う画像のデータ量を効果的に低減できる。
【００８０】
また、コピーモードやスキャンモードでは、「実サイズ」とは無関係に「指定サイズ」に係る領域が読み取られる。コピーモードでは、取得された画像データは記録紙への印刷に供される。また、スキャンモードでは、取得される画像データは、そのまま他のクライアント端末９などから利用される。したがって、画像データのサイズは、ユーザ所望のサイズに統一できることが好ましい。上記の処理を行う画像形成装置１によれば、画像データのサイズをユーザ所望のサイズに統一することができることになる。
【００８１】
＜８．変形例＞
以上、本発明の実施の形態について説明してきたが、この発明は上記実施の形態に限定されるものではなく様々な変形が可能である。
【００８２】
上述の実施の形態では、読取機構１１３において照射光源とラインセンサとは一体のものとして説明しているが、ラインセンサは所定の位置に固設され、原稿からの光を反射してラインセンサに導く反射鏡等を含む光学系が照射光源とともにＸ軸方向に移動される態様であってもよい。
【００８３】
また、上述の実施の形態において、画像形成装置１は、ＡＤＦ読み取りにおいては読取機構の側が固定配置される一方で原稿の側が搬送されることで原稿の走査を行うように構成されていたが、ＡＤＦ読み取りの場合でもＦＢＳ読み取りと同様に、取り込んだ原稿を第１コンタクトガラス１１１ａまで搬送して静止させ、ＦＢＳ読み取りと同様に読取機構の側を移動させて原稿の走査を行うようにしてもよい。
【００８４】
また、上述の実施の形態では、「指定サイズ」は規格サイズで指定されるようになっていたが、数値入力などによって、任意のサイズを「指定サイズ」として指定できるようになっていてもよい。
【００８５】
また、上述の実施の形態では、原稿の後端が読取位置ｘ１に到達した時点で「実サイズ」の副走査長を事後的に検出する態様となっているが、「実サイズ」の主走査長と同様に、原稿給紙トレイ１７３が備える光電センサ等により、原稿がセットされた時点でＡＤＦ読み取りを行う前に予め「実サイズ」の副走査長を検出する態様であってもよい。
【図面の簡単な説明】
【００８６】
【図１】画像形成装置の外観構成を示す斜視図である。
【図２】画像形成装置の外観構成を示す斜視図である。
【図３】画像形成装置の内部構成を模式的に示すブロック図である。
【図４】ブックカバー及びスキャナの概略構成を示す断面図である。
【図５】ＡＤＦ読み取りに係る画像形成装置の動作の流れを示す図である。
【図６】一の原稿ごとの読取処理の流れを示す図である。
【符号の説明】
【００８７】
１      画像形成装置
１１      スキャナ
１４      操作部
１７      ブックカバー
１１２      原稿センサ
１１３      読取機構
１７２      ＡＤＦ
１７７      搬送経路
【図１】
2006174372.tif 000003
【図２】
2006174372.tif 000004
【図３】
2006174372.tif 000005
【図４】
2006174372.tif 000006
【図５】
2006174372.tif 000007
【図６】
2006174372.tif 000008